(57)【要約】【課題】  装置の小型化を図って表示スペースを縮小するとともに、装置の据え付け工事の時間と費用を縮少したエレベーターの表示装置を提供する。【解決手段】  光を透過し乱反射するアクリル導光板６１の周縁部、例えば天面および底面に、複数の赤色発光ダイオード６２Rおよび複数の緑色発光ダイオード６２Gを交互に配設する。アクリル導光板６１の表面に、下方向矢印記号を書いた赤色感光フィルム６３Rおよび上方向矢印記号を書いた緑色感光フィルム６３Gを重ねて貼りつける。赤色又は緑色発光ダイオード６２R、６２Gを点灯させたときの赤色光又は緑色光は、アクリル導光板６１内を通過し乱反射し、その色の光に感応した前記感光フィルム６３R又は６３Gに書かれた下方向又は上方向矢印記号が表示される。【選択図】  図２
2007015804.tif 000002
【特許請求の範囲】
【請求項１】
光を透過し乱反射する導光板と、
前記導光板の周縁部に配設された発光素子と、
前記導光板の表面に配設され、前記発光素子の発光色で感光反応する感光材料で表現された被表示物とを備えたことを特徴とするエレベーターの表示装置。
【請求項２】
前記発光素子は複数の色の発光素子であり、
前記被表示物は、前記複数の色の発光素子の各発光色で各々感光反応する感光材料で表現されていることを特徴とする請求項１に記載のエレベーターの表示装置。
【請求項３】
前記被表示物は、前記導光板の表面に、複数の表示内容を前記複数の感光材料で重ねて表現されていることを特徴とする請求項２に記載のエレベーターの表示装置。
【請求項４】
前記発光素子は異なる２色の発光素子を有し、
前記被表示物は、前記２色の発光素子の各発光色で各々感光反応する感光材料で表現され、エレベーターの進行方向に対応した上、下２つの方向を各々別個に表現した被表示物を有していること特徴とする請求項２又は３に記載のエレベーターの表示装置。
【請求項５】
前記表示装置は、複数台のエレベーターが併設された乗場に、各エレベーターに対応して設けられ、
前記発光素子は異なる２色の発光素子を有し、
前記被表示物は、前記２色の発光素子の各発光色で各々感光反応する感光材料で表現され、エレベーターの呼び方向に対応した上、下２つの方向を各々別個に表現した被表示物を有し、
前記複数台のエレベーターのうち、登録された乗場呼びに割り当てられたエレベーター側の表示装置の、当該呼び方向に対応した方向を表現した被表示物を表示させる表示制御部を備えたことを特徴とする請求項２又は３に記載のエレベーターの表示装置。
【請求項６】
前記表示制御部は、前記登録された乗場呼びに割り当てられたエレベーターが当該乗場階に所定距離近づいてから所定時間、前記発光素子を点滅させることによって前記被表示物を表示させることを特徴とする請求項５に記載のエレベーターの表示装置。
【発明の詳細な説明】
【技術分野】
【０００１】
本発明は、エレベーターの進行方向を示す矢印、メッセージボード、各階の案内板等を表示するエレベーターの表示装置に関する。
【背景技術】
【０００２】
従来、エレベーターの進行方向、すなわち上昇、下降を示す矢印などの被表示物を表示する表示装置としては、例えば図６のようなランプ式のホールランタン１０が用いられていた。図６において（ａ）は表示装置の正面図、（ｂ）は左側面の断面構成図を示し、１は例えばステンレス製の長方形状のフェースプレートである。
【０００３】
このフェースプレート１を上下に２分割した各領域には略正方形状のガラス（又はアクリル板）２ａ，２ｂが互いに所定間隔隔てて固設されている。３は筺体の一方の面を開口して成る胴体箱であり、この胴体箱３の開口端は、ガラス２ａ，２ｂを囲む領域を覆うようにフェースプレート１の裏面に固着されている。
【０００４】
胴体箱３内の上側のガラス２ａに対向する面にはレセプタル４ａおよびエレベーターの上昇を表示するための電球から成るランプ５ａが固設されている。胴体箱３内の下側のガラス２ｂに対向する面にはレセプタル４ｂおよびエレベーターの下降を表示するための電球から成るランプ５ｂが固設されている。６は、エレベーターの下降を表示するためのランプ５ｂの点灯光が上側のガラス２ａ側に放射されることを遮蔽するセパレータである。
【０００５】
上記のように構成されたホールランタン１０は、一般的にホールドアの右上角又は中央上部幕板に設けられるものであり、例えば図７に示すように、乗場の壁１１に角穴１２を開けて確保した収納スペースに胴体箱３が収納される。角穴１２の開口縁部はフェースプレート１により隙間なく隠される。尚図中１３はランプ５ａ，５ｂの配線１４を通す管である。
【０００６】
図８は前記ホールランタン１０の電気回路を表しており、２１ａ〜２１ｎは、エレベーターコントローラ２０からの制御信号により、前記ランタン１０の表示を制御するランタンコントローラである。ランタンコントローラ２１ａ〜２１ｎ各々は、スイッチング素子としての例えばトランジスタ２２UP，２２DNを備え、上昇表示用のランプ５ａおよびトランジスタ２２UPの直列回路と、下降表示用のランプ５ｂおよびトランジスタ２２DNの直列回路とがＡＣ１００Ｖラインに並列に接続されている。
【０００７】
前記ランタンコントローラ２１ａ〜２１ｎ内のトランジスタ２２UPがオン制御されることにより上昇表示用のランプ５ａが点灯され、トランジスタ２２DNがオン制御されることにより下降表示用のランプ５ｂが点灯される。
【０００８】
図９は、複数台のエレベーターが併設された乗場のようすを表しており、前記エレベーターの各号機毎にホールランタン１０ａ〜１０ｆが設けられている。２５は乗場の扉２６横に設置された呼びボタンである。
【０００９】
この呼びボタン２５によって、各号機に共通の乗場呼びが登録された時、複数台のエレベーターを管理する群管理制御装置（図示省略）が即時に最適なエレベーターを選択して、登録された乗場呼びに割り当てる。この場合該当号機上方に取り付けられたホールランタン（１０ａ〜１０ｆのうちいずれか）のランプ５ａ又は５ｂを呼び方向に点灯して、乗客に予報表示する。このときにホールチャイムも鳴動させる。
【００１０】
該当号機が前記割り当て呼びにサービスすべく、乗場呼びに答えて近づき減速すると、前記点灯させていたランタンを点滅に変化させて、乗客を誘導する。さらに階に着床し、戸開中は前記ランタンを点滅状態に保つ。
【００１１】
また、前記ランプの代わりに発光ダイオードを用いた従来の表示装置は、例えば図１０（ａ），（ｂ）のように構成されている。図１０（ａ），（ｂ）において、表示装置３０の３１は例えばステンレス製で長方形状に形成されたフェースプレートである。このフェースプレート３１を上下に２分割した各領域には、ＬＥＤ基板型照明を構成する透光性のアクリル板３２ａ，３２ｂが互いに所定間隔隔てて固設されている。
【００１２】
上側のアクリル板３２ａの表面（フェースプレート３１の正面側）には、エレベーターの上昇を表示するための上方向矢印記号が描画されている。アクリル板３２ａの裏面（フェースプレート３１の裏面側）には、縦４列、横３列に配列された１２個の緑色発光ダイオード（ＬＥＤ）３３Gが配設されている。
【００１３】
下側のアクリル板３２ｂの表面（フェースプレート３１の正面側）には、エレベーターの下降を表示するための下方向矢印記号が描画されている。アクリル板３２ｂの裏面（フェースプレート３１の裏面側）には、縦４列、横３列に配列された１２個の赤色発光ダイオード（ＬＥＤ）３３Rが配設されている。
【００１４】
図１０（ｃ）は表示装置３０の電気回路を表しており、図示のように直、並列接続された１２個の緑色発光ダイオード３３G、抵抗３４ａおよびスイッチ３５ａから成る直列回路と、図示のように直、並列接続された赤色発光ダイオード３３R、抵抗３４ｂおよびスイッチ３５ｂから成る直列回路とが、図示極性ダイオード３６を介してＤＣ２４Ｖラインに並列に接続されている。
【００１５】
図示省略のコントローラによってスイッチ３５ａがオン制御されることにより、上方向矢印記号表示用の緑色発光ダイオード３３Gが点灯してアクリル板３２ａ表面の上方向矢印記号が照光され、スイッチ３５ｂがオン制御されることにより、下方向矢印記号表示用の赤色発光ダイオード３３Rが点灯してアクリル板３２ｂ表面の下方向矢印記号が照光される。
【００１６】
また、メッセージボードや各階の案内板を表示する表示装置は、例えば図１１の４０に示すように、正面に「こちらの扉が開きます」と記載された透光性のアクリル板４２ａと、「反対側の扉が開きます」と記載された透光性のアクリル板４２ｂとを、フェースプレート４１に、図１０（ａ）と同様に取り付けて構成されている。
【００１７】
前記アクリル板４２ａの裏面には、図１１（ｂ）のように接続されたアクリル板４２ａ表示用の１６個の発光ダイオード４３ａが配設され、アクリル板４２ｂの裏面には、図１１（ｂ）のように接続されたアクリル板４２ｂ表示用の１６個の発光ダイオード４３ｂが配設されている。
【００１８】
図１１（ｂ）は表示装置４０の電気回路を表しており、図示のように直、並列接続された１６個の発光ダイオード４３ａ、抵抗４４ａおよびスイッチ４５ａから成る直列回路と、図示のように直、並列接続された発光ダイオード４３ｂ、抵抗４４ｂおよびスイッチ４５ｂから成る直列回路とが、図示極性ダイオード４６を介してＤＣ２４Ｖラインに並列に接続されている。
【００１９】
図示省略のコントローラによってスイッチ４５ａがオン制御されることにより、アクリル板４２ａ表示用の発光ダイオード４３ａが点灯してアクリル板４２ａ表面のメッセージが照光され、スイッチ４５ｂがオン制御されることにより、アクリル板４２ｂ表示用の発光ダイオード４３ｂが点灯してアクリル板４２ｂ表面のメッセージが照光される。
【００２０】
尚、従来のエレベーターのホールランタンとしては、例えば下記特許文献１に記載のように、照光体が取り付けられたフェースプレートの裏面に設けたボックス内に、冷陰極蛍光ランプ、発光ダイオード等の発光体を収納したものが提案されている。
【特許文献１】特開２００４−１８２４６８号公報
【発明の開示】
【発明が解決しようとする課題】
【００２１】
前記図６〜図９に示すランプを用いた表示装置は、電球の大きさが大きいため厚みが増し装置全体が大型化するという欠点があった。またランプの点灯時には多量の熱が発生するため、この熱による悪影響を避けるためランプとガラス（アクリル）間の距離を充分長くとる必要があり、装置が大型化してしまう。また据え付け部分の壁に熱がこもってしまうという問題もある。またランプの発熱により寿命が短く、特に点滅させて使用すると寿命が著しく短い。
【００２２】
また図１０、図１１に示す発光ダイオードを用いた表示装置も、フェースプレートの裏面に（表示面に対向して）多数の発光ダイオードが配設されているため、厚みが増して装置全体が大型化するという欠点があった。
【００２３】
また前記特許文献１に記載のホールランタンは、照光体に対向して発光体が設けられるため、前記と同様に厚みが増して装置全体が大型化してしまう。
【００２４】
また前記特許文献１のホールランタンおよび従来の表示装置は、装置の厚みが厚いため、据え付けるための穴開け工事の時間と費用が多くかかる。
【００２５】
さらに表示しようとするメッセージ等の被表示物が多くなればなるほど装置が大型化するとともに、必要とする面方向への表示スペースが拡大してしまう。
【００２６】
本発明は上記の点に鑑みてなされたものでその目的は、装置の小型化を図って表示スペースを縮小するとともに、装置の据え付け工事の時間と費用を縮少したエレベーターの表示装置を提供することにある。
【課題を解決するための手段】
【００２７】
上記課題を解決するための本発明のエレベーターの表示装置は、光を透過し乱反射する導光板と、前記導光板の周縁部に配設された発光素子と、前記導光板の表面に配設され、前記発光素子の発光色で感光反応する感光材料で表現された被表示物とを備えたことを特徴としている。
【００２８】
また前記発光素子は複数の色の発光素子であり、前記被表示物は、前記複数の色の発光素子の各発光色で各々感光反応する感光材料で表現されていることを特徴としている。
【００２９】
また前記被表示物は、前記導光板の表面に、複数の表示内容を前記複数の感光材料で重ねて表現されていることを特徴としている。
【００３０】
また前記発光素子は異なる２色の発光素子を有し、前記被表示物は、前記２色の発光素子の各発光色で各々感光反応する感光材料で表現され、エレベーターの進行方向に対応した上、下２つの方向を各々別個に表現した被表示物を有していること特徴としている。
【００３１】
また前記表示装置は、複数台のエレベーターが併設された乗場に、各エレベーターに対応して設けられ、前記発光素子は異なる２色の発光素子を有し、前記被表示物は、前記２色の発光素子の各発光色で各々感光反応する感光材料で表現され、エレベーターの呼び方向に対応した上、下２つの方向を各々別個に表現した被表示物を有し、前記複数台のエレベーターのうち、登録された乗場呼びに割り当てられたエレベーター側の表示装置の、当該呼び方向に対応した方向を表現した被表示物を表示させる表示制御部を備えたことを特徴としている。
【００３２】
また前記表示制御部は、前記登録された乗場呼びに割り当てられたエレベーターが当該乗場階に所定距離近づいてから所定時間、前記発光素子を点滅させることによって前記被表示物を表示させることを特徴としている。
【発明の効果】
【００３３】
（１）請求項１〜６に記載の発明によれば、被表示物は、感光材料が、導光板を通して導かれる発光素子の光に感光反応することによって表示される。光源として作用する発光素子は、発熱による悪影響を考慮する必要はなく、且つ導光板の周縁部に設けられるので、表示装置の厚みを薄くすることができ、小型化が図られる。このため装置の据え付け工事の時間と費用が縮少される。また発光素子の寿命は長いので、長期に亘って交換は不要となる。
（２）請求項２〜６に記載の発明によれば、複数の色の発光素子とそれらの色に各々感光反応する感光材料で各々表現した被表示物とを導光板に設けておくことにより、唯一つの導光板の表面にて色で区別された異なる表示をすることができ、表示スペースを縮小することができる。
（３）請求項３〜６に記載の発明によれば、複数の表示内容を、複数の色の発光素子の発光色に各々感光反応する複数の感光材料で重ねて表現しておき、例えば各色の発光素子を切り替えて発光させることにより、複数の表示内容を唯一つの導光板にて表示することができ、表示スペースを著しく縮小することができる。
（４）請求項４に記載の発明によれば、エレベーターの２つの進行方向を極めて小さい表示スペースで表示することができる。
（５）請求項５、６に記載の発明によれば、複数台のエレベーターが併設された乗場において、グループ制御におけるエレベーターの呼び方向の予約表示を、極めて小さい表示スペースで行うことができる。
（６）請求項６に記載の発明によれば、発光素子を点滅させるので、従来のランプを点滅させる場合と比べて、表示装置として非常に寿命が長い。
【発明を実施するための最良の形態】
【００３４】
以下、図面を参照しながら本発明の実施の形態を説明するが、本発明は下記の実施形態例に限定されるものではない。
【００３５】
図１は本発明の一実施形態例の斜視図を示し、表示装置５０の５１は、透光性の合成樹脂等の素材、例えばアクリルにより５ｍｍ程度の厚さに長方形状に成形されたアクリル導光板（導光板）である。
【００３６】
このアクリル導光板５１の周縁部、例えば右側面は研磨されており、この研磨面には、異なる色の発光ダイオード、例えば黄色発光ダイオード５２Y、青色発光ダイオード５２B、緑色発光ダイオード５２Gが、縦方向に所定間隔隔てて配設されている。
【００３７】
アクリル導光板５１の表面の、黄色発光ダイオード５２Yに近い部位には、黄色で感光反応する塗料で表現された数字の「１」が印刷された黄色感光フィルム５３Yが貼り付けられ、青色発光ダイオード５２Bに近い部位には、青色で感光反応する塗料で表現された数字の「２」が印刷された青色感光フィルム５３Bが貼り付けられ、緑色発光ダイオード５２Gに近い部位には、緑色で感光反応する塗料で表現された数字の「３」が印刷された緑色感光フィルム５３Gが貼り付けられている。
【００３８】
前記感光フィルム５３Y、５３B、５３Gに印刷された数字の「１」、「２」、「３」は、例えばエレベーターの存在階床番号を表示する被表示物として用いられ、中央の数字部分を白ヌキとしてその周囲を各色の感光発光塗料で印刷してもよいし、逆に中央の数字部分のみを各色の感光発光塗料で印刷しても良い。
【００３９】
前記発光ダイオード５２Y、５２B、５２Gは、図１０、図１１の場合と同様に、各々トランジスタなどのスイッチング素子と直列接続され、それら直列回路は直流電源、例えばＤＣ２４Ｖラインに並列接続される（図示省略）。
【００４０】
上記のように構成された表示装置５０は所定の取り付け部材によってエレベーター施設内に配設される。
【００４１】
例えば図示省略のエレベーターコントローラによって、黄色発光ダイオード５２Y側のスイッチング素子がオン制御されると該発光ダイオード５２Yが点灯する。この点灯された黄色発光ダイオード５２Yの黄色光は、アクリル導光板５１内を通過しながら乱反射し、黄色光の波長に感応した感光フィルム５３Yの塗料のみが発光し、数字の「１」が表示される。
【００４２】
感光フィルム５３Bの数字「２」および感光フィルム５３Gの数字「３」の表示も前記同様の動作となる。尚前記各発光ダイオード５２Y、５２B、５２Gは、アクリル導光板５１の右側面に設けるに限らず左側面又は両側面に設けても良い。
【００４３】
上記表示装置５０によれば、発光ダイオードを用いているため輝度が高く、寿命は長く、発熱による悪影響はない。またアクリル導光板５１の裏面側に発光ダイオードを設けていないので薄型に構成することができ、装置の小型化を図ることが可能である。このため装置の据え付け工事の時間と費用が縮少される。
【００４４】
次に本発明の第２の実施形態例を図２とともに説明する。この第２の実施形態例は、表示装置の薄型化を図るとともに、複数の被表示物、例えばエレベーターの２つの進行方向に対応した上方向矢印記号および下方向矢印記号を、１つの被表示物分の面方向スペースのみで表示できるようにしたものである。
【００４５】
図２において表示装置６０の６１は、透光性の合成樹脂等の素材、例えばアクリルにより５ｍｍ程度の厚さに長方形状に成形されたアクリル導光板（導光板）である。
【００４６】
このアクリル導光板６１の周縁部、例えば天面および底面は研磨されており、この研磨面には、複数の赤色発光ダイオード６２Rおよび緑色発光ダイオード６２Gが、所定間隔で交互に配設されている。
【００４７】
前記アクリル導光板６１の天面側の赤色発光ダイオード６２Rおよび緑色発光ダイオード６２GはＬＥＤユニット６２ａとして構成され、底面側の赤色発光ダイオード６２Rおよび緑色発光ダイオード６２GはＬＥＤユニット６２ｂとして構成されている。
【００４８】
アクリル導光板６１の一方の面（正面）には、赤色光で感光反応する塗料で書かれた下方向矢印記号が印刷された赤色感光フィルム６３R（被表示物）が貼り付けられ、該感光フィルム６３R上には、緑色光で感光反応する塗料で書かれた上方向矢印記号が印刷された緑色感光フィルム６３G（被表示物）が貼り付けられている。
【００４９】
前記上、下のＬＥＤユニット６２ａ、６２ｂは、アクリル導光板６１の正面側に配設されたフェースプレート６４に固着されている。
【００５０】
前記発光ダイオード駆動用のＤＣ２４Ｖラインには、複数の赤色発光ダイオード６２Rおよび赤色発光出力用のトランジスタ６５Rを直列制御した回路と、複数の緑色発光ダイオード６２Gおよび緑色発光出力用のトランジスタ６５Gを直列接続した回路とが並列に接続されている。
【００５１】
尚図２（ｃ）はアクリル導光板６１上に貼り付けられた赤色感光フィルム６３Rを見た図であり、下側のＬＥＤユニット６２ｂの各発光ダイオード６２R、６２Gの配線は図示省略している。また図２（ｄ）は赤色感光フィルム６３R上に貼り付けられた緑色感光フィルム６３Gを見た図であり、上、下側のＬＥＤユニット６２ａ、６２ｂの各発光ダイオード６２R、６２Gの配線は図示省略している。
【００５２】
図２（ａ）の６６は、前記トランジスタ６５R、６５GおよびＤＣ２４Ｖラインと前記各発光ダイオード６２R、６２Gを結ぶ配線を通す配管である。
【００５３】
また図２（ｂ）の６７は配線接続用のコネクタであり、該コネクタ６７の「１」には例えば図２（ｃ）に示すトランジスタ６５Rのコレクタが接続され、「２」には例えばトランジスタ６５Gのコレクタが接続され、「３」には例えばＤＣ２４Ｖラインが接続されるものである。
【００５４】
例えば図示省略のエレベーターコントローラによって、赤色発光出力用のトランジスタ６５Rがオン制御されると、複数の赤色発光ダイオード６２Rが点灯する。この点灯された赤色発光ダイオード６２Rの赤色光は、アクリル導光板６１内を通過しながら乱反射し、赤色光の波長に感応した赤色感光フィルム６３Rの塗料のみが発光し、下方向矢印記号が表示される。
【００５５】
また緑色発光出力用のトランジスタ６５Gがオン制御された場合は、前記と同様の動作により緑色感光フィルム６３Gの塗料のみが発光し、上方向矢印記号が表示される。
【００５６】
上記表示装置６０によれば、発光ダイオードを用いているため輝度が高く、寿命は長く、発熱による悪影響はない。またアクリル導光板６１の裏面側に発光ダイオードを設けていないので、厚みを例えば１０ｍｍ以下にし薄型に構成することができ、装置の小型化を図ることが可能である。このため装置の据え付け工事の時間と費用が縮少される。
【００５７】
図２（ｅ）は表示装置６０を壁６８に据え付けたようすを表している。この図からわかるように、表示装置６０は、フェースプレート６４を壁６８に例えばネジ止め（図示省略）するなどで固定できるため、従来のように壁６８に角穴を穿設する必要はなく、配管６６を通すためのφ１０ｍｍ程度の丸穴を穿設するだけで済み、工事が容易となる。
【００５８】
また前記発光ダイオード６２R、６２Gはアクリル導光板６１の周縁部にのみ設けるので、従来の例えば図１０、図１１に示す、バックライトとして発光ダイオードを配設した装置に比べて、発光ダイオードの設置個数は少なくて済む。
【００５９】
尚前記複数の赤色発光ダイオード６２Rおよび緑色発光ダイオード６２Gは、アクリル導光板６１の天面、底面に設けるに限らず、図３のようにアクリル導光板６１の側面（一方の側面又は両側面）に設けても良い。
【００６０】
図３（ａ）はアクリル導光板６１の上に貼り付けられる赤色感光フィルム６３Rを見た図であり、図３（ｂ）は赤色感光フィルム６３R上に貼り付けられる緑色感光フィルム６３Gを見た図である。
【００６１】
尚図２、図３において、アクリル導光板６１の表面に貼り付ける赤色感光フィルム６３R、緑色感光フィルム６３Gの順番を逆にしても良い。
【００６２】
上記のように唯一つのアクリル導光板の表面にて発光色で区別された２つの被表示物、すなわち上方向矢印記号と下方向矢印記号とを表示することができるので、従来の例えば図１０の表示装置に比べて、面方向への表示スペースが１／２に縮小される。
【００６３】
図２、図３では２色の発光ダイオードにより、唯一つの導光板上で２色の感光フィルムによる２種類の被表示物を表示した実施例であったが、これに限らず、３色以上の発光ダイオードにより、唯一つの導光板上で３色以上の感光フィルムによる３種類以上の被表示物を表示するように構成しても良い。この場合は前記と同様に面方向への表示スペースが１／３以下に縮小される。
【００６４】
またアクリル導光板６１上に重ねて貼り付ける複数の色の感光フィルムは、前記上下方向矢印記号に限らず、図１１で述べた「こちらの扉が開きます」、「反対側の扉が開きます」等のメッセージが記載されたものであっても良い。
【００６５】
前記図２、図３の表示装置６０は、例えば前記図９で述べたように、群管理制御装置（表示制御部）により制御がなされる複数台のエレベーターが設置された乗場の号機毎に配設され、前記複数台のエレベーターのうち、登録された乗場呼びに割り当てられたエレベーター側の表示装置の、当該呼び方向に対応した方向を表現した被表示物、すなわち上方向矢印記号又は下方向矢印記号が表示されるものである。
【００６６】
さらに前記群管理制御装置は、前記登録された乗場呼びに割り当てられたエレベーターが当該乗場階に所定距離近づいてから所定時間、前記発光ダイオードを点滅させるものである。
【００６７】
図４は、２枚のアクリル導光板７１ａ、７１ｂの側端部どうしを略９０°の角度で固着させて２方向から被表示物、例えば下方向矢印記号の表示が視認できるようにした形状の表示装置（７０）を示している。
【００６８】
図４において、アクリル導光板７１ａ、７１ｂの各表面には下方向矢印記号が書かれた赤色感光フィルム６３Rが各々貼り付けられ、両側面には複数の赤色発光ダイオード６２Rが配設されている。
【００６９】
図４に示す形状の表示装置７０においても、アクリル導光板７１ａ、７１ｂの各裏面には発光ダイオードなどの光源を設けないので、装置を小型化することができる。
【００７０】
図５は、本発明を、エレベーターかご内に設けられた店内案内板に適用した実施例を示している。図５において、１階から５階までの各階の案内板は前記同様のアクリル導光板８１ａ〜８１ｅを横方向に連ねて配設され、各アクリル導光板８１ａ〜８１ｅの各天面には複数の赤色発光ダイオード６２R（他の色でも良い）が配設され、各表面には、各階の売り場案内の文字列が記載された赤色感光フィルム８３ａ〜８３ｅ（前記発光ダイオードと同じ他の色であっても良い）が各々貼り付けられている。
【００７１】
この構成により、各階の売り場案内を、極めて薄型の表示装置８０によって表示することができる。これはエレベーターかご内のパネルの厚さが薄いことを考えれば、非常に有利である。
【００７２】
また前記単色に限らず、前述したように複数色の発光ダイオードにより、複数色の感光フィルムによる複数種類の文字列、メッセージ、絵などを表示するように構成しても良い。
【図面の簡単な説明】
【００７３】
【図１】本発明の一実施形態例を示す斜視図。
【図２】本発明の他の実施形態例を表し、（ａ）は表示装置の側面構成図、（ｂ）は要部背面図、（ｃ）、（ｄ）は要部説明図、（ｅ）は表示装置を壁に据え付けたようすを示す断面略図。
【図３】本発明の他の実施形態例を示す要部説明図。
【図４】本発明の他の実施形態例を示す要部斜視図。
【図５】本発明の他の実施形態例を示すかご内の説明図。
【図６】従来の表示装置の一例を示し、（ａ）は正面図、（ｂ）は左側面の断面構成図。
【図７】従来の表示装置を壁に据え付けたようすを示す断面図。
【図８】従来の表示装置の電気回路図。
【図９】複数台のエレベーターが設置された乗場のようすを示す説明図。
【図１０】従来の表示装置の他の例を表し、（ａ）は正面図、（ｂ）は背面構成図、（ｃ）は電気回路図。
【図１１】従来の表示装置の他の例を表し、（ａ）は正面図、（ｂ）は電気回路図。
【符号の説明】
【００７４】
５０、６０、７０、８０…表示装置
５１、６１、７１ａ、７１ｂ、８１ａ〜８１ｅ…アクリル導光板
５２Y…黄色発光ダイオード
５２B…青色発光ダイオード
５２G、６２G…緑色発光ダイオード
５３Y…黄色感光フィルム
５３B…青色感光フィルム
５３G、６３G…緑色感光フィルム
６２R…赤色発光ダイオード
６３R、８３ａ〜８３ｅ…赤色感光フィルム
６４…フェースプレート
６５R、６５G…トランジスタ
６６…配管
【図１】
2007015804.tif 000003
【図２】
2007015804.tif 000004
【図３】
2007015804.tif 000005
【図４】
2007015804.tif 000006
【図５】
2007015804.tif 000007
【図６】
2007015804.tif 000008
【図７】
2007015804.tif 000009
【図８】
2007015804.tif 000010
【図９】
2007015804.tif 000011
【図１０】
2007015804.tif 000012
【図１１】
2007015804.tif 000013